(57)【要約】液体発泡反応性物質容器等の一対の嵩高流体供給容器を共に保持するためのハンドル組立体は、固有の力付与特性を有するものとして提供される。二つの容器は締めつけることのできる可撓性バンドにより囲繞され、他方でワイヤ形態部材が流体供給容器のハンドルに取り付けるものとして提供される。ワイヤ形態部材はハンドルとして作用しかつ流体供給容器のハンドルと係合する自由端を有する二つの分岐脚部を有する。脚部はその分岐により流体供給容器上に外力を加えてバンドに対して容器を外方へ付勢する。
2004525822.tif 000002
【特許請求の範囲】
【請求項１】
本体部および首部を有する流体容器の輸送および運搬を促進するために少なくとも二つの流体容器を相互に対して実質的固定位置に保持するための組立体において、前記組立体は、
少なくとも二つの前記容器の本体部と係合しかつ前記本体部を共に保持するためのバンド、および
少なくとも前記容器の首部と係合するためのハンドル部材を含み、
前記バンドは少なくとも二つの前記容器の本体部を囲繞できる長さを有する細長い本体部を有し、かつ前記容器の本体部上の所定位置に前記バンドを維持するために前記バンドにテンションを与えるように前記バンドの本体部と係合するための把持部を有し、かつ
前記ハンドル部材は使用者が把持できるフラット部および前記フラット部から延びた少なくとも二つの脚部を有し、少なくとも二つの前記脚部は前記フラット部から所定角度で延在し、前記容器の首部の一部と係合するための自由端を有し、前記容器のフランジ部間の間隔よりも大きい間隔をもって前記自由端で分離していて、それにより前記容器上に付勢力を加えて前記容器を前記バンドに対して付勢することを特徴とする、流体容器を保持するための組立体。
【請求項２】
前記バンドは可撓性ケーブル紐を含む、請求項１の組立体。
【請求項３】
前記バンドはストラップおよび係止部材を含む、請求項１の組立体。
【請求項４】
前記バンドはプラスチックストラップを含む、請求項１の組立体。
【請求項５】
前記ハンドル部材は連続ワイヤ形態部材であり、かつ前記自由端は前記ハンドル部材の脚部から外方へ分岐している、請求項１の組立体。
【請求項６】
前記ハンドル部材は所定長のワイヤから形成され、かつ前記容器の首部は内部に孔を含み、前記自由端は前記容器の首部の孔と係合するように前記ハンドル部材の脚部から分岐している、請求項２の組立体。
【請求項７】
少なくとも二つの前記容器間に介在するスペーサ部材を更に含む、請求項１の組立体。
【請求項８】
前記スペーサ部材は圧縮材料から形成されている、請求項１の組立体。
【請求項９】
前記脚部はハンドルと自由端の中間に折れを含む、請求項５の組立体。
【請求項１０】
前記ハンドル部材は少なくとも前記脚部の近傍に形成されたバネコイルを含み、前記バネコイルは外方付勢力に寄与する、請求項５の組立体。
【請求項１１】
前記バネコイルはハンドル部材と自由端の中間で前記脚部上に形成されている、請求項１０の組立体。
【請求項１２】
前記ハンドル部材のフラット部組立体は、フラット部が前記容器の共通中心線の側から側へ移動するように前記ハンドル部材の脚部と移動自在に係合する、請求項１の組立体。
【請求項１３】
前記ハンドル部材のフラット部は二つの自由端間に延在する直線バックボンを有し、前記自由端の各々は前記ハンドル部材の脚部の一つの対応する自由端を受ける開口部を有する、請求項１２の組立体。
【請求項１４】
前記ハンドル部材のフラット部は前記容器の首部上でフラットに横たえることができる、請求項１２の組立体。
【請求項１５】
前記ハンドル部材のフラット部の自由端は前記ハンドル部材と摩擦によって係合する、請求項１３の組立体。
【請求項１６】
前記ハンドル部材は前記フラット部に沿って延在する弾性外カバーを含む、請求項２の組立体。
【請求項１７】
前記ハンドル部材のフラット部は対向端に形成された一対のループ、および使用者により把持されるように前記ループ間に延在する可撓性部材を含む、請求項１の組立体。
【請求項１８】
前記可撓性部材はプラスチックスラップを含む、請求項１７の組立体。
【請求項１９】
前記可撓性部材は二つの対向自由端を有する所定長のロープを含み、前記ロープの自由端の各々は前記ループの各々へ延びている、請求項１７の組立体。
【請求項２０】
前記ハンドル部材は倒立Ｖ形であり、かつ自由端を有する概ねＣ形のハンドル部材を更に含み、前記自由端は前記ハンドル部材の脚部と係合している、請求項１の組立体。
【請求項２１】
前記Ｃ形のハンドル部材の自由端は孔を有し、前記孔は前記ハンドル部材の自由端を受けている、請求項２０の組立体。
【請求項２２】
前記Ｃ形のハンドル部材はワイヤ形態部材を含む、請求項２０の組立体。
【請求項２３】
前記ハンドル部材は概ね倒立Ｖ形であり、かつ二つの自由端を有する可撓性運搬ストラップを含み、前記運搬ストラップの自由端は対応するハンドル部材の脚部と係合する、請求項１の組立体。
【請求項２４】
前記運搬ストラップの自由端はクリップ部材を含み、前記運搬ストラップのクリップ部材は前記ハンドル部材の脚部と係合自在かつその上で摺動自在である、請求項２３の組立体。
【請求項２５】
二つの流体容器を共に保持しかつユニットとして二つの前記容器を把持するための手段を有する把持部材において、前記把持部材は、
使用者の手による把持を可能にする充分の長さを有するグリップ部、および
二つの前記容器の一部と係合する一対の脚部を有し、
一対の前記脚部は相互に対して離隔した第一自由端を有し、前記第一自由端は二つの前記容器間に第二距離を維持するように相互から第一距離を置いていることを特徴とする、把持部材。
【請求項２６】
前記脚部は、前記脚部を分離する距離が前記脚部の長手に沿って変化するように分岐状態で前記グリップ部に対して下方へ延在する、請求項２５の把持部材。
【請求項２７】
前記脚部はワイヤから形成され、かつバネコイルを含み、前記バネコイルは前記脚部が前記容器に対して付勢力を与えるように前記脚部にバネ特性を付与する、請求項２６の把持部材。
【請求項２８】
前記把持部材はフラット部に沿って相互から離隔した二つのループ部を有し、前記ループ部はハンドル部材の端と係合する充分な大きさである、請求項２５の把持部材。
【請求項２９】
二つの係合する端間に延在するハンドル本体部を有するハンドル部材を更に含み、係合する前記端の各々は、前記ハンドル部材が前記把持部材のループ部間に延在するように前記ループ部の各々に受けられる横切る方向の部材を含む、請求項２８の把持部材。
【請求項３０】
前記バネコイルは前記グリップ部と前記自由端間で前記脚部に沿って設けられている、請求項２７の把持部材。
【請求項３１】
前記脚部は前記グリップ部と前記自由端間に形成された折れを含み、前記折れは前記脚部を第一部および第二部に分離し、前記脚部の第一部は前記グリップ部から下方かつ前記グリップ部に対して概ね垂直に延び、かつ前記脚部の第二部は前記脚部の第一部に対して所定角度で延在する、請求項２５の把持部材。
【請求項３２】
前記グリップ部は前記脚部と回転自在に係合する、請求項１６の把持部材。
【請求項３３】
前記グリップ部および前記脚部は分離片であり、前記グリップ部は開口部が形成された二つの自由端を有し、前記脚部は前記グリップ部の自由端の開口部内に受けられる第二自由端を有する、請求項３２の把持部材。
【請求項３４】
前記脚部の第二自由端および前記グリップ部の自由端の開口部は相互に対して摩擦係合する、請求項３３の把持部材。
【請求項３５】
前記グリップ部および前記脚部は単一長のワイヤから一体的に形成され、前記グリップ部は二つの前記脚部間のスパンに沿って延在し、かつ前記脚部の前で二つの開放ループで終端する、請求項２５の把持部材。
【請求項３６】
前記グリップ部の開放ループと係合自在の二つの自由端を有するプラスチックストラップを更に含み、前記ストラップは前記グリップ部よりも長く、それにより前記ストラップの自由端が前記グリップ部の開放ループと係合し、前記ストラップは前記グリップ部から湾曲して使用者の手による把持のためのクリアランスを形成している、請求項３５の把持部材。
【請求項３７】
前記把持部材から分離形成されたハンドルを更に含み、前記ハンドルは概ねＣ形であり、二つの自由端部間に介在するバックボンを有し、前記自由端部は、前記ハンドルが前記把持部材に対して摺動自在となるように、前記把持部材の脚部と摺動自在に係合する、請求項３５の把持部材。
【請求項３８】
前記ハンドルの自由端は孔付き部材を含み、かつ前記把持部材の脚部はワイヤ延長部を含み、前記脚部のワイヤ延長部は前記孔付き部材内に受けられている、請求項３７の把持部材。
【請求項３９】
前記把持部材から分離形成されたハンドルを更に含み、前記ハンドルは二つの対向自由端を有するストラップを含み、前記自由端はそこに固定されたクリップ部材を含み、前記ストラップのクリップ部材の各々は前記把持部材の脚部の一つと係合している、請求項３５の把持部材。
【請求項４０】
ハンドルを更に含み、前記ハンドルは二つの自由端を有する所定長のロープを含み、前記ロープの自由端の各々は二つの前記開放ループの一つに受けられ、前記ロープの自由端は前記開放ループ内に前記ロープの自由端を拘束するための手段を更に含む、請求項３５の把持部材。
【請求項４１】
起立フランジを有する概ね筒状の本体部を各々が有する一対の流体供給容器に一つの運搬組立体を提供するための部品のキットにおいて、前記部品のキットは、
ハンドル部および前記ハンドル部から下方へ延在する一対の脚を有する運搬部材、および
ユニットとして一対の前記容器を共に保持するために前記容器のまわりに延在し、かつ圧縮下で把持部材の脚を維持する充分な長さの長手を有するバンド部材を含み、
前記脚は前記脚の長手に沿って広がる介在スペーシングによって分離されるように相互に対して分岐通路を形成し、前記脚の各々は前記容器のフランジの一部と係合する自由端部を有していて、前記自由端部を一対の前記容器に係合しかつ一対の前記容器を共に移動させた後に前記脚を圧縮下に置きかつ前記脚がそれにより前記容器に対して反作用バネ抵抗力を付与するように係合する、部品のキット。
【請求項４２】
前記バンド部材は細長いケーブル紐である、請求項４１の部品のキット。
【請求項４３】
前記脚部は前記ハンドル部から分離して形成され、かつ前記ハンドル部は前記脚部に対して移動自在である、請求項４１の部品のキット。
【請求項４４】
前記ハンドル部は二つの自由端を相互連結するバックボンを有する概ねＣ形の部材を含み、前記ハンドル部の自由端は前記脚部の対応する対向自由端と回転自在に係合する、請求項４１の部品キット。
【請求項４５】
前記ハンドル部は中空金属管から形成されている、請求項４１の部品キット。
【請求項４６】
前記脚部は単一長のワイヤから形成され、かつ相互連結部により相互に連結されている、請求項４３の部品キット。
【請求項４７】
前記相互連結部はそこに形成された一対の開放ループを有し、かつ前記キットは二つの自由端を有するストラップを含み、前記自由端の各々は前記開放ループの一つへ挿入自在である、請求項４６の部品キット。
【請求項４８】
前記相互連結部には対向端を有する一対の開放ループが形成され、かつ前記キットは二つの自由端を有する所定長のロープを含み、前記自由端の各々は前記開放ループの一つの中に保持されている、請求項４６の部品キット。
【請求項４９】
前記脚部および相互連結部は概ね倒立Ｖ形であり、かつ前記キットは二つの自由端間に介在するバックボンを有するハンドルを更に含み、前記自由端の各々は前記脚部の一つと摺動自在に係合する、請求項４６の部品キット。
【請求項５０】
前記ハンドルの自由端の各々は孔を含み、前記自由端の孔の各々は前記脚部の一つをその中に受ける、請求項４９の部品キット。
【請求項５１】
前記ハンドルはワイヤ形態の部材でありかつ前記バックボン上に把持スリーブを含む、請求項５０の部品キット。
【請求項５２】
前記ハンドルは布帛ストラップであり、かつ前記ハンドルの自由端の各々は前記脚部と係合するためのクリップ部材を含む、請求項４９の部品キット。
【発明の詳細な説明】
【０００１】
［発明の背景］
本発明は、概ね、嵩高流体容器の輸送、更に具体的には流体分配システムに使用される嵩高流体容器の運搬を促進するハンドル組立体に関する。
【０００２】
ポリウレタンフォームは当分野において周知でありかつ単一成分フォーム（ｆｏａｍ）または二つの反応性発泡成分間の反応製品として形成される。かかるフォームは接着剤としてまたは絶縁目的で使用される。二成分フォームの使用において、各区別できるフォーム成分は分離供給容器内に維持されなければならない。供給容器は供給管により共に連結され，供給管は導管、混合室、およびフォーム成分そしてその混合物を提供するために分配ガンに連結される。かかる供給容器は、高さ約１１〜１２インチ（２７９〜３０５ｍｍ）ｘ直径約８インチ（２０３ｍｍ）の比較的嵩高いタンクの形態を採る。使用に際して、供給タンクは、一般的に、使用者により片手で一つづつ運搬される。
【０００３】
これらの容器の輸送を促進するために、単一パッケージ内に一つのユニットとして二つの容器を保持するボックスまたはカートンが開発されている。ハンドルはボックスの一部またはカートンと係合する分離構成要素として形成される。容器の重量のために、発泡成分供給タンクを保持するには、カートンは重い重量の厚くかつ二重のカードボードから形成されなければならない。
【０００４】
かかるボックス構造には幾つかの問題がある。例えば、分離ハンドル要素がカートンに使用される場合には、荷積みおよび輸送時に少なくとも一部が分離しやすく、そのために使用者はカートンを持ち上げるときにハンドルが自由になって強制的に使用者にカートンを落下させ、結果として脛および脚に損傷を負わせることが往々にしてある。湿った天候のときには、水がボックスの壁へ浸透し、ボックスを形成している波状カードボードを弱化させる。水で弱ったカードボードブランクにより、供給タンクはしばしばその重量のためにカートンを破損する。従って、作業時、貯蔵時および輸送時に二つの発泡成分供給タンクを一緒に保持するための改良装置に対するニーズがある。本発明はかかる装置を志向する。
【０００５】
［発明の概要］
本発明は従来技術の上述の欠点を解消する流体供給タンクに使用するための運搬組立体に関する。
【０００６】
従って、本発明の概ねの課題は、耐候性がありかつ廉価な一対の流体供給タンクを運搬するための改良組立体を提供することにある。
【０００７】
本発明の他の課題は、ユニット（単位装置）として二つの供給タンクを共に保持しかつ片手で容易に把持できる一対の発泡成分供給タンク用ハンドル組立体を提供することにある。
【０００８】
本発明の他の課題は、コンテナの貯蔵、運搬および輸送を促進する装置に二つの供給容器を共に保持する組立体を提供することにあり、前記組立体はユニットとして前記容器を一緒に保持しかつ一つの位置で二つのタンクを一緒に保持するための第一手段、および第一位置から離れた第二位置で二つのタンクを一緒に保持するための第二手段を含み、前記第二手段は、使用者がユニットとして二つのタンクを一緒に保持できるようにハンドルとして働く。
【０００９】
本発明の他の課題は、二つの発泡成分供給タンクのフランジと係合するように構成されたハンドルを提供することにあり、前記ハンドルはフラット把持部即ちグリップ部、および前記把持部から下に延びた少なくとも二つの自由端を有し、前記自由端は各々そこから外方へ延びた係合端を有して、二つの供給タンクの一部と係合し、前記ハンドルは供給容器と係合するために弾力的調整を可能にする手段を更に含む。
【００１０】
本発明は個有の構造を有する方法により上記課題を達成する。本発明の第一実施形態例によれば、結束ストラップ等の第一保持手段は二つの供給タンクを囲繞する即ち供給タンクのまわりに巻き付けるに足りるだけの長さ有する。このストラップは、好ましくは二つの中間部または僅かにその下で二つの供給タンクを共に保持するように締結される。保持部材の形態の第二保持手段が二つの供給タンクを共に保持するために第一位置から離隔した第二位置に設けられる。この第二保持部材は可撓性ワイヤ形態であり二つの供給タンクのカラー内に形成された孔へ適合する自由端を含む。第二保持部材は二つの供給タンクに係合するだけでなく、供給タンクのカラー管のスペースをスパンする水平部を有し、かつそこに取り付けた可撓性ハンドル部材を受ける開口部を有する。
【００１１】
本発明の第二実施形態において、第二部材には第二部材の可撓性を増大するループが形成された相対的に大きい脚部を含み、前記ループが異なる様々な方向に屈曲してあらゆるサイズのタンクに適用可能に形成されている。この組立体により、パッケージ構造体としてのカートンに対するニーズは解消され、かつ供給タンクを運搬する仕事はカートン構造体と独立になる。カートンの嵩高性は湿気による損傷と同様に解消される。第二部材は、第一部材が供給タンクに加える内方力と反対に、外方へ僅かにバネ付勢を加えるワイヤ形態部材である。
【００１２】
本発明の他の実施形態において、第二保持部材は、ハンドルおよび二つの脚部材を含む多部品構成である。脚部材は供給タンクと係合し、かつ所定角度でそこから上方および外方へ延在する。脚部材は、脚部材の対応する自由端に回転自在に係合する一対の自由端を有するハンドル部材と係合する。このようにして、ハンドル部材は側方へ回転して供給タンクに隣接して組み合わされて、包装、貯蔵および包装した供給タンクの積み重ねを促進する。
【００１３】
本発明の上述した課題、他の課題、特徴、および利点は、続く詳細な説明を考慮することにより明瞭に理解されるであろう。
【００１４】
［好適実施形態の詳細説明］
次に、添付図面を参照して本発明の好適実施形態を説明する。
【００１５】
図１は、本発明の原理によって構成されかつ一対の流体供給容器２２に連結して使用されるハンドル組立体２０を示す。各流体供給容器２２は金属により形成され、かつ反応性発泡成分が代表例である所定量の分配可能流体を保持するために使用される。二つの発泡成分は圧力下で容器２２内に保持されかつ容器２２の上外面２４から突出する弁組立体２３を介して容器２２から所望により分配される。各弁組立体２３は、本発明の譲受人により所有されている米国特許第５３４４０５１号に図示されたタイプに類似の分配ガン２７に通じる分配ホース（図１１）から流体が移動するように使用者により操作できる手動操作弁部材２５を有する。
【００１６】
流体供給容器２２は、起立フランジ３０として、参照番号２９により図示されたハンドル部またはカラー部を一般的に有する。図１および３に示されたように、フランジは湾曲しかつ開口部３５を囲む上下部３２，３３および側部３４を含む。ハンドル部２９は、スタンピング等により金属の単一シートから形成され、かつ続いて容器２２の本体部に溶接される。
【００１７】
従来、二つの供給容器２２は、重量のある波板カートンまたはカードボードボックス内に個別に担持または保持される。この構造に伴う一つの不満問題は、荒天時にカートンの壁が全体的に浸水して供給容器２２がカートンの壁から破れる程に弱化し、厄介な問題になることである。本発明はかかる問題を解決しかつ強力、軽量、かつ製造容易な改良されたハンドル組立体を提供する。
【００１８】
一つの特徴として、本発明はハンドル組立体および供給容器２２の全体的構造を含む。図１は二つの供給容器２２上の所定位置にある組立体全体２０を示し、図２は構成部品を示す分解図において組立体２０と供給容器２２を示す。二つの容器２２の各々は概ね筒状であり、かつそのようにして組立体２０は、第一に、二つの容器２２のまわりに伸長または容器２２を取り囲み、かつ二つの容器を共にユニットとして保持するバンド３８を含む。パッド３９の形態のクッションは、好適には一側に自己接着剤膜４０を有し、二つの容器２２が相互に衝突したり相互に対して付勢しないように設けられてよい。バンド３８は一端に細長い尾部４３および他端に頭部４４を有するプラスチックケーブル紐４２として図示されている。当分野で知られているように、尾部４３は頭部４４へ挿入されかつその下を通過して容器２２に拘束力を付与し、かつケーブル紐４２を緊張下に置く。選択的に、他の構造と同様に、バンド３８はスチールストラップおよび係止部材を図示されたケーブル紐の適所に含んでよい。バンド３８は二つの容器２２の本体部を共に維持する働きをする。プラスチック溶接ストラップ等の他のストラップが同様に利用できる。
【００１９】
本発明の重要な特徴として、他の部材は二つの容器２２のハンドル部２９を共に維持するために設けられる。他の部材は把持かつ連結部材４５として作用し、図４に最良に図示されたように、ワイヤ形態部材を使用できる。この部材４５はフラット部４６およびそこから下方へ延びた少なくとも二つの脚部４７を有する。脚部４７は把持部材４５の二つの自由端４８を形成し、ハンドル部内に形成された孔２９ａを介して容器のハンドル部２９と係合する。図示されたように、自由端４８は角度θ１で脚部４７から延在または分岐する。自由端４８は、また、把持部材のフラット部４６に対して角度θ２で仮想線に沿って一部が延びている。脚部４７はフラット部４６と自由端４８間で曲折していてよい。図示形態のごとく、脚部４７は必ずしも直線路に沿って延びる必要はない。折れ４９は、脚部４７によりスプリング力Ｓ１を生成することによって把持部材４５に可撓性手段を付加し、脚部４７は、順次、バネ力をバンド３８に対して加わえ、容器２２上に加える。
【００２０】
図１に示されたように、把持部材４５の自由端４８は容器のフランジの下部３３で、好適にはそこに形成された孔２９ａへ延びることにより容器のフランジ３０と係合する。把持部材４５を形成するワイヤは、フラット部４６を形成するために上部で開放ループ５０（図５に図示）として適切に特徴づけられるように曲折される。このループ５０は、フラット部４６が全組立体に対するハンドルとして機能するように共通面内に形成されるのが望ましい。ただし、好適形態に図示されたように、ループ５０の端５１はそれ自体付加的ループ、または円形開口部５２を含んでよい。開口部５２は、使用者による二つの容器２２の運搬を更に促進する可撓性運搬ストラップ５４の端５３を受けてよい。
【００２１】
図６〜８は、本発明のハンドル組立体に関して使用される把持部材の他の形態５５を示す。この形態において、一対のバネコイル５６は把持部材５５のフラット部５８近くに脚部５７の一部として形成される。バネコイル５６は、図示されたように把持部材５５を形成するワイヤを折り曲げることにより形成される。理解されるように、バネコイル５６は、図７に示されたように、脚部５７に対して反対方向のバネ力Ｓ２を加えるように時計方向に巻かれる。このバネ力は容器のフランジ３０および容器２２を拘束ストラップ、即ち、バンド３８に対して外方へ付勢する傾向があり、従って、この明細書において「外方」バネ力として特徴づけられる。図６に示されたように、把持部材５５の脚部は容器のハンドル３０上の所定位置へ関連づけられてよく、脚部５７はフランジの上部３２の内側で開口部３４を経て下部３３の外側へ伸長する。
【００２２】
把持部材５５は、また、二つの相対的に小さいループで終端するフラット部５８に沿って形成された開放ループ５９を有する（図８）。相対的に小さいループ６０はハンドルストラップ（運搬ストラップ）５４の端５３を受けるために設けられる。上述したように、一対のバネコイル５６は、バネコイルが相互に対して押されるときに、潜在的反作用バネ力Ｓ２が脚部５７を外方へ付勢するように、脚部５７に対してバネ力を与える。この関係で、一対の脚部５７間の距離Ｄ（図７）は、二つの供給容器のハンドル部２９が一緒にされかつバンド３８により囲繞されるときに、好適には、二つの供給容器のハンドル部２９（図１）間の最終距離Ｄ１よりも大きい。先に説明したように、独特の力装置が本発明により提供される。バンド３８は二つの容器２２を相互方向へ引っ張り、他方、把持部材４５は、その脚部を介して、容器をバンド３８に対して付勢することにより、全組立体を確実に単一ユニットとして作用させる。
【００２３】
図９〜１１はフラット部６７から下に延びた脚部６６を有する把持部材の他の形態６５を示す。この形態において、バネコイル６８は自由端とフラット部６７間で脚部６６の本体内に形成される。バネコイル６８は、また、脚部６６内の折れ７０に位置決めされかつ反時計方向に巻回される。バネコイル６８が外方バネ力Ｓ３をその把持部材に加えるのみならず、容器のフランジ３０内の係合孔が様々の異なる位置に形成されている場合にフランジ３０内の孔に係合させるために脚部６６を操作できるように自由端部６９に弾力的取付手段を提供する。ハンドル、即ち、フラット部６７は、また、上述の実施形態と同様に開放ループとして形成される。
【００２４】
バネコイルまたは把持部材の脚部の折れは、把持部材により必要とされる所望バネ力を有していて、バンド３８が共に結束された容器の維持に抵抗するような反対力を供給容器２２上に与えかつ容器２２が弛緩する可能性を低減する。介在パッド３９は選択的であるが、二つの容器２２間のクッションとして働くだけでなく、バンド３８に対して容器をその本体部に沿って外方へ僅かに付勢する、換言すれば、締めつけられたときにバンド３８の影響下で容器２２により圧縮される圧縮自在部材として働くために設けられてよい。
【００２５】
上述したように、組立体２０は組立体２０（図２）の運搬を促進するために把持部材と係合する付加的ハンドル部材５４を含んでよい。このハンドル５４は、また、全ユニットが図１１および１２のカートン１７０内等に包装されるときのハンドルとして作用する。この関係で、カートン１７０の上パネル７１は端フラップとして働らくように折り畳まれてよく、かつハンドル５４を挿入する孔７２を有してよい。カートン１７０は、また、上位置へ折り畳まれてよい曲折自在タブ部７６により形成される側孔７５を含んでよい。この位置において、二つのタブ７６は発泡成分供給ホース２６を所定位置に保持する作用をする。残余の成分はカートンの内部に保持されてよい。
【００２６】
本発明の原理により構成されるハンドル組立体の他の形態が図１３に参照番号１００で概ね示されている。この形態は、把持部材１０２が一対の供給容器２２の中心線Ｒを中心に回転する回転自在フラット部を有し、そのようにして図１４に示されたように全組立体のカートンへの包装を促進し、同様により一層優れた安定性をもってカートンの積み重ねを促進するために実質的にフラットにされた点で上述の実施形態と相違する。これを達成するために、ハンドル組立体１００は好適には複数の個別構成要素から組み立てられる。
【００２７】
図１３に示されたように、ハンドル組立体１００は、二つ自由端部１０５間に延在するバックボン（ｂａｃｋｂｏｎｅ）部１０４を有する概ね「Ｕ」または「Ｃ」形の把持部材１０２を含む。好適には、自由端部１０５は、図示されたように、相互に対して内方へ延びかつ相互に一直線になる。使用者による把持を促進するために弾性カバー部材１０６が把持部材のバックボンに付加されてよい。
【００２８】
このハンドル１０２の回転性を有効にするために、ハンドル組立体１００は一対の脚部１０８を含み、前記脚部の各々は全体がＵ形またはＣ形の形状を有するように適宜に特徴づけられてよい。各脚部１０８は二つの自由端１１０，１１１を有し、その各々は角度θ３，θ４で折り曲げられる。角度θ４は、供給容器のフランジ２９が供給容器２２から突出する角度に略適合するように選択されるのが好ましい。角度θ３は脚部１０８の自由端１１１が水準または水平面に配向するように選択されるのが好ましい。
【００２９】
把持部材１０２は一対の中空開口部１２０を有し、中空開口部１２０は二つの脚部材１０８の上自由端１１１をそこに受ける寸法であり、使用者により付勢されるときに把持部材１０２が自由に回転するように形成される。この関係で、把持部材１０２は、開口部１２０が把持部材１０２の長手に延在するように中空管の長手から形成されてよい。選択的に、把持部材１０２は所定直径の所定長の中実ワイヤから形成されてよく、かつその端開口部１２０は二つの脚部材１０８の上自由端１１１を受けるために穿孔されてよい。開口部内への脚部材の自由端１１１の取付は、使用者が望む位置、例えば図１５に示された概ね垂直配置、図１４に示された概ね水平配置、またはその間の様々な点等、へハンドル組立体の把持部材１０２を配向できる何らかの抵抗手段を提供する摩擦嵌めが好ましい。把持部材１０２は、また、好適角度配置に脚部材１０８を配向する作用をし、かつそれにより脚部材にバネのような付勢を与える。
【００３０】
フランジ２９内の孔１２１は供給容器２２上で所定位置または適所に脚部材１０８を受けかつ保持する。脚部材１０８は、本質的に、フランジ２９に「関連づけられ」、脚部材の下端１１０はフランジの下部３３の外放射状面に沿った位置にあり、他方、脚部材の上端１１１は内放射状面に対して位置する。脚部材１０８は更に把持部材１０２によりその位置に保持される。
【００３１】
図１１は、ハンドル部としての可撓性プラスチック運搬ストラップ５４の使用を示す。他の適宜手段が同様に使用できる。例えば、図１６に示されたように、運搬ストラップ２００は所定長のロープ２０１を含み、その端２０２，２０３は把持部材６５の上開放ループ内に形成された開口部５２へ挿入される。ロープ２０１は、図１１に示されたように、包装カートンへの供給タンクの積み重ねかつ／または挿入を促進するために把持部材の開口部５２内を上下動する。ロープ２０１および運搬ストラップ２００は、使用者による把持を容易にするために折れ曲がるかまたは把持部材から離れた延長部を有するように、把持部材の開放ループまたは孔付き端間のスペースよりも長い長さである。
【００３２】
図１７に示されたように、同一タイプの運搬ストラップ２００が把持部材４５に使用できる。この適用において、ロープ２０１は把持部材４５の上開口部へ挿入され、かつロープ２０１は把持部材４５からのロープの引き抜きを阻止するためにその端２０２，２０３が結節されてよい。形成把持面を提供するために、中空スリーブ形態のカバー部材２１０がロープ２０１上に設置されてよい。
【００３３】
同様に、図１８に示されたような把持部材３００が提供され、この把持部材３００はハンドル部３０２と一体的に形成された脚部３０１を有し、ハンドル部３０２は組立体全体を運搬するために使用者が手を挿入できるスペース３０４を形成するために脚部３０１から離隔している。弾性カバーまたはスリーブ３０５が把持部材３００のフラット上部またはバックボン部３０６上に形成されてよい。
【００３４】
図１９は本発明の原理に従って構成された運搬組立体の他の形態４００を示す。この形態において、把持部材４０１は、供給タンクのフランジ３０の下部に形成された開口部２９ａと係合する自由端４４８を有する概ね倒立Ｖ形である。把持部材の脚４４９はフランジ３０の上部と下部間に関連づけられる。脚４４９はフランジ３０の上部の丁度上方にあって自由端４４８間の中心レベルで参照番号４５０のところで共に相互連結されて、脚４４９が所定角度で起立するようになっている。組立体全体の運搬を促進するために、ハンドル４２０が設けられ、このハンドルは開放ループの端４２３で終端するアーム部４２２を有するＣ形形状のワイヤ４２１で形成される。開放ループの端４２３は、図２０に示されたように、把持部材の脚４４９のまわりでの開放ループの端４２３の摺動を可能にする孔４２４を有する。この孔との係合によって、ハンドル４２０は図１９に実線と点線で示された位置間で把持部材４０１上を上下に摺動する。その下位置において、ハンドル４２０は供給タンクのフランジ３０を横切ってフラットに延在する。ハンドル４２０の上方移動はフランジの上部３２の内エッジと、フランジの主開口部３４を通るハンドルアーム４２２，４２３の面との抵触により制限される。
【００３５】
図２１−２２は図１９と同様の形態を示す。この形態において、把持部材４０１は、事実上、同一であるが、運搬ストラップが相違する。図２２は二重の布帛ストラップ５０４の上方に位置決めされた中央把持スリーブ５０２を有するストラップ５００を示す。ストラップ５００は、クリップ部材５０８として図示された係合手段で終端する一対の自由端５０６を有する。ストラップ５００の自由端５０６はフランジの開口部３４を通過しかつクリップ部材５０８は、ストラップが伸長するフランジの開口部と反対側に位置する把持部材の脚４４９を挟持する。自由端は、同様に、脚４４９の反対側を通過する。このようにして、クリップ５０８は把持部材の脚４４９に対するストラップ５００の上下摺動を可能にする。他の形態と同様に、フランジの上部３２は把持部材の脚４４９上でのクリップの上方移動を制限する。
【００３６】
本発明の好適形態を図示かつ説明したが、変更および改変が特許請求の範囲に記載の本発明の精神を逸脱することなく可能であることは当業者に明かであろう。例えば、把持部材の構造、同様に、流体容器をその外部バンドに対して少なくとも僅かに付勢する所望の外方バネ力を付与するためのバネコイルまたは折れは変更できる。
【図面の簡単な説明】
【図１】
供給タンク組立体を形成するために一対の発泡成分供給タンク上で所定位置に設置された本発明の第一形態の立面図である。
【図２】
図１の供給タンク組立体の分解図である。
【図３】
図１の組立体の上面図である。
【図４】
図１の組立体に使用されるワイヤ形態部材の立面図である。
【図５】
図４のワイヤ形態部材の上面図である。
【図６】
外ストラップを除去した二つの供給タンク上に設置されたワイヤ形態部材の第二形態の側立面図である。
【図７】
図６のワイヤ形態部材の側立面図である。
【図８】
図７のワイヤ形態部材の上面図である。
【図９】
図１の組立体に使用されるワイヤ形態部材の第三形態の側立面図である。
【図１０】
図９のワイヤ形態部材の上面図である。
【図１１】
包装ボックス内に全組立体として貯蔵された図９のワイヤ形態部材を使用する供給タンク組立体の断面図である。
【図１２】
使用者により運搬される図１１の組立体の使用法を示す斜視図である。
【図１３】
本発明の原理により構成されたハンドル組立体の他の形態の立面図である。
【図１４】
一対の流体供給容器上で所定位置にありかつ下位置に折り畳まれた図１３のハンドルの斜視図である。
【図１５】
一対の流体供給容器上で所定位置にある図１３のハンドルの拡大詳細図である。
【図１６】
他の運搬ストラップを有する把持部材の立面図である。
【図１７】
図１６におけると同様の運搬ストラップを有する他の把持部材の立面図である。
【図１８】
本発明に使用される他の把持部材の立面図である。
【図１９】
本発明の原理により構成された運搬組立体の他の形態の立面図である。
【図２０】
図１９の運搬組立体の構成要素の一つの斜視図である。
【図２１】
図１９の変形運搬組立体の立面図である。
【図２２】
図２１の運搬組立体の構成要素の上面図である。
【国際公開パンフレット】
2004525822.tif 000003
2004525822.tif 000004
2004525822.tif 000005
2004525822.tif 000006
2004525822.tif 000007
2004525822.tif 000008
2004525822.tif 000009
2004525822.tif 000010
2004525822.tif 000011
2004525822.tif 000012
2004525822.tif 000013
2004525822.tif 000014
2004525822.tif 000015
2004525822.tif 000016
2004525822.tif 000017
2004525822.tif 000018
2004525822.tif 000019
2004525822.tif 000020
2004525822.tif 000021
2004525822.tif 000022
2004525822.tif 000023
2004525822.tif 000024
2004525822.tif 000025
2004525822.tif 000026
2004525822.tif 000027
2004525822.tif 000028
2004525822.tif 000029
【国際公開パンフレット（コレクトバージョン）】
2004525822.tif 000030
2004525822.tif 000031
【国際調査報告】
2004525822.tif 000032
2004525822.tif 000033